(57)【要約】      （修正有）【課題】衣服から作業性よく迅速に取り外すことができる衣服カバーを提供する。【解決手段】衣服カバー１は、前面シート２１と後面シートとを有する袋状の衣服カバーである。前面シート２１および後面シートには、衣服カバー１の上縁部から下方に凹んだ凹部３がそれぞれ設けられている。各凹部３は、衣服カバー１の上縁部において互いに連通することにより、ハンガー６のフック部６１を挿通可能な孔部を形成している。前面シート２１および後面シートは、各凹部の底部３ｃまたは各凹部の底部３ｃの近傍に、衣服カバーの上縁部における右側部分１ａ１と左側部分１ａ２とが互いに離れるように引っ張られたときに、衣服カバー１の他の部分よりも先に開裂するように構成された開裂補助部５をそれぞれ有する。【選択図】図２
0003230484.tif 000002
【実用新案登録請求の範囲】
【請求項１】
前面シートと後面シートとを有する袋状の衣服カバーであって、
前記前面シートおよび前記後面シートには、前記衣服カバーの上縁部から下方に凹んだ凹部がそれぞれ設けられ、
各凹部は、前記衣服カバーの上縁部において互いに連通することにより、ハンガーのフック部を挿通可能な孔部を形成し、
前記前面シートおよび前記後面シートは、各凹部の底部または各凹部の底部の近傍に、前記衣服カバーの上縁部における右側部分と左側部分とが互いに離れるように引っ張られたときに、前記衣服カバーの他の部分よりも先に開裂するように構成された開裂補助部をそれぞれ有する、
衣服カバー。
【請求項２】
各開裂補助部は、各凹部の底部または各凹部の底部の近傍から前記衣服カバーの下縁部に向かって延びている、請求項１に記載の衣服カバー。
【請求項３】
各開裂補助部は、ミシン目である、請求項２に記載の衣服カバー。
【請求項４】
各開裂補助部の下端部は、前記衣服カバーの上側半分の領域に配置されている、請求項２または請求項３に記載の衣服カバー。
【請求項５】
前記前面シートおよび前記後面シートは、上下方向以外かつ左右方向以外の方向よりも上下方向に沿って裂けやすい樹脂シートで構成されている、請求項１〜４のいずれか一項に記載の衣服カバー。
【考案の詳細な説明】
【技術分野】
【０００１】
本考案は、ハンガーに掛けた状態の衣服を収容するための衣服カバーに関する。
【背景技術】
【０００２】
従来、この種の衣服カバーとして、例えば、特許文献１（登録実用新案第３００９１２４号公報）に記載された衣服カバーが知られている。
【０００３】
特許文献１に記載の衣服カバーは、前面上部シートと、前面下部シートと、後面シートとを備えている。前面上部シートは、正面視において、後面シートの上部と同一形状である。また、前面下部シートは、正面視において、後面シートの下部と同一形状である。
【０００４】
前面上部シートおよび後面シートの上縁部は、上方に突出した凸部をそれぞれ有する。前面上部シートと後面シートとは、凸部の先端部を除く上縁部および側縁部において互いに接合されている。このことにより、凸部は、ハンガーのフック部を挿通するための孔部を有した挿通部を構成する。
【０００５】
前面下部シートと後面シートとは、下縁部および側縁部を揃えるようにして、側縁部において互いに接合されている。前面下部シートおよび後面シートの下縁部は、衣服を出し入れするための開口部を形成している。
【先行技術文献】
【特許文献】
【０００６】
【特許文献１】登録実用新案第３００９１２４号公報
【考案の概要】
【考案が解決しようとする課題】
【０００７】
特許文献１に記載の衣服カバーを衣服から取り外すには、一方の手でハンガーおよび衣服を支持し、他方の手で衣服カバーを上方に引き上げる必要がある。また、挿通部が上方に突出した凸部であるため、衣服カバーを上方に引き上げるときに、ハンガーのフック部が挿通部に引っ掛かりやすい。したがって、特許文献１に記載の衣服カバーは、取り外しにおいて作業性が悪く、時間を要する。
【０００８】
したがって、本考案の目的は、前記課題を解決することにあって、衣服から作業性よく迅速に取り外すことのできる衣服カバーを提供することにある。
【課題を解決するための手段】
【０００９】
前記目的を達成するために、本考案に係る衣服カバーは、
前面シートと後面シートとを有する袋状にされ、
前記前面シートおよび前記後面シートには、前記衣服カバーの上縁部から下方に凹んだ凹部がそれぞれ設けられ、
各凹部は、前記衣服カバーの上縁部において互いに連通することにより、ハンガーのフック部を挿通可能な孔部を形成し、
前記前面シートおよび前記後面シートは、各凹部の底部または各凹部の底部の近傍に、前記衣服カバーの上縁部における右側部分と左側部分とが互いに離れるように引っ張られたときに、前記衣服カバーの他の部分よりも先に開裂するように構成された開裂補助部をそれぞれ有する、
ように構成されている。
【考案の効果】
【００１０】
本考案によれば、衣服カバーを衣服から作業性よく迅速に取り外すことができる。
【図面の簡単な説明】
【００１１】
【図１】本考案に係る衣服カバーの正面図である。
【図２】図１の衣服カバーの正面図であって、ハンガーに掛けた衣服を収容した状態を示す図である。
【図３】図１の衣服カバーの正面図であって、衣服カバーが引き裂かれているときの状態を示す図である。
【考案を実施するための形態】
【００１２】
本考案の一態様に係る衣服カバーは、
前面シートと後面シートとを有する袋状の衣服カバーであって、
前記前面シートおよび前記後面シートには、前記衣服カバーの上縁部から下方に凹んだ凹部がそれぞれ設けられ、
各凹部は、前記衣服カバーの上縁部において互いに連通することにより、ハンガーのフック部を挿通可能な孔部を形成し、
前記前面シートおよび前記後面シートは、各凹部の底部または各凹部の底部の近傍に、前記衣服カバーの上縁部における右側部分と左側部分とが互いに離れるように引っ張られたときに、前記衣服カバーの他の部分よりも先に開裂するように構成された開裂補助部をそれぞれ有する、
ように構成されている。
【００１３】
この構成によれば、各シートに衣服カバーの上縁部から下方に凹んだ凹部が設けられているので、衣服カバーの上縁部における右側部分と左側部分とが互いに離れるように引っ張られたときに、上縁部を引っ張る力が凹部の底部に収束し得る。このことにより、各シートを裂くために必要な力をより少ない労力で印加することができる。さらに、凹部の底部または凹部の底部の近傍に設けられた開裂補助部では、各シートを裂くために必要な力が低減されている。このことにより、より少ない労力で各シートを引き裂くことができる。したがって、衣服カバーの取り外しにおける作業性が向上する。また、衣服カバーの取り外しに要する時間が短縮される。
【００１４】
また、各開裂補助部は、各凹部の底部または各凹部の底部の近傍から前記衣服カバーの下縁部に向かって延びていることが好ましい。
【００１５】
この構成によれば、各シートは、衣服カバーの上縁部における右側部分と左側部分とが互いに離れるように引っ張られたときに、開裂補助部に沿って上下方向に裂ける。すなわち、開裂補助部によって、各シートの開裂方向が上下方向に誘導される。このことにより、各シートは、凹部と側縁部との間よりも、凹部と下縁部との間で裂けやすくなる。したがって、衣服カバーの取り外しにおける作業性がより確実に向上する。また、衣服カバーの取り外しに要する時間が短縮される。
【００１６】
また、各開裂補助部は、ミシン目であることが好ましい。
【００１７】
この構成によれば、衣服カバー内への異物の侵入を抑制しつつ、凹部の底部または凹部の底部の近傍から衣服カバーの下縁部に向かって延ばすことのできる開裂補助部が実現される。
【００１８】
また、各開裂補助部の下端部は、前記衣服カバーの上側半分の領域に配置されていることが好ましい。
【００１９】
この構成によれば、衣服カバーの下縁部に設けられた開口部を開いたときに、意図せず各開裂補助部を引き裂いてしまう可能性が低減される。したがって、衣服収容時の作業性が向上する。
【００２０】
また、前記前面シートおよび前記後面シートは、上下方向以外かつ左右方向以外の方向よりも上下方向に沿って裂けやすい樹脂シートで構成されていることが好ましい。
【００２１】
この構成によれば、各シートを上下方向に裂くために必要な力がさらに低減されるので、さらに少ない労力で各シートを上下方向に沿って引き裂くことができる。また、この構成によれば、各シートが上下方向に沿って裂け始めた後、開裂方向が上下以外の方向に逸れにくい。このため、各シートは、凹部と側縁部との間よりも、凹部と下縁部との間で裂けやすい。したがって、衣服カバーの取り外しにおける作業性がより確実に向上する。また、衣服カバーの取り外しに要する時間が短縮される。
【００２２】
以下、本考案の実施形態について、図面を参照しながら説明する。なお、本考案は、以下の実施形態に限定されるものではない。また、実質的に同一の部材については、図面において同一の符号を付し、説明を省略する。
【００２３】
以下では、説明の便宜上、「上」、「下」、「側」、「前」、「後」等の方向を表す用語を用いるが、これらの用語は、本考案に係る衣服カバーの使用状態等を限定することを意図するものではない。
【００２４】
《実施形態》
図１〜図３を参照しながら、本考案に係る衣服カバーの実施形態を説明する。図１は、本考案に係る衣服カバーの正面図である。図２は、図１の衣服カバーの正面図であって、ハンガーに掛けた衣服を収容した状態を示す図である。図３は、図１の衣服カバーの正面図であって、衣服カバーが引き裂かれているときの状態を示す図である。
【００２５】
衣服カバー１は、前面シート２１と後面シート２２とを有する袋状の衣服カバーである。衣服カバー１の下縁部１ｃには、衣服を出し入れするための開口部４が形成されている。前面シート２１および後面シート２２には、衣服カバー１の上縁部１ａから下方に凹んだ凹部３がそれぞれ設けられている。すなわち、上縁部１ａは、凹部３によって遮られた右側部分１ａ１と左側部分１ａ２とを有する。また、前面シート２１および後面シート２２は、凹部３の底部３ｃまたは凹部３の底部３ｃの近傍に、開裂補助部５をそれぞれ有する。
【００２６】
衣服カバー１は、上縁部１ａと下縁部１ｃとが最も離れた箇所における上下方向の中央を通る仮想中心線Ｈ１を有する。衣服カバー１は、仮想中心線Ｈ１よりも上側の上側領域１１と、仮想中心線Ｈ１よりも下側の下側領域１２とを有する。
【００２７】
本実施形態では、衣服カバー１は、１つのシート状部材を上縁部１ａで折り返し、側縁部１ｂにおいて接合することにより構成される。なお、衣服カバー１は、２つのシート状部材を上縁部１ａおよび側縁部１ｂにおいて接合することにより構成されてもよい。
【００２８】
本実施形態では、前面シート２１と後面シート２２とは、互いに同一の形状および構成を有する。各シート２１，２２は、本実施形態において矩形状である。なお、各シート２１，２２の形状は、上記に限定されず、例えば、上縁部１ａがハンガー６に沿った形状等であってもよい。
【００２９】
各シート２１，２２は、衣服カバー１内への異物の侵入を抑制し得る材料で構成される。さらに、各シート２１，２２は、上下方向以外かつ左右方向以外の方向よりも上下方向に沿って裂けやすい樹脂シートで構成されることが好ましい。このような樹脂シートには、例えば、一定の分子配向を有する樹脂シート等がある。より具体的には、例えば、一軸延伸ポリプロピレンシート、メタロセンを添加して製造された直鎖状低密度ポリエチレンシート、高密度ポリエチレンシート等がある。本実施形態では、各シート２１，２２は、ＯＰＰ（Oriented Polypropylene：二軸延伸ポリプロピレン）シートで構成されている。
【００３０】
各凹部３は、衣服カバー１の上縁部１ａにおいて互いに連通し、ハンガー６のフック部６１（図２参照）が挿通するための孔部を形成する。凹部３は、衣服カバー１の正面視において、例えば、半円形状、三角形状、五角形状等である。本実施形態では、凹部３は、衣服カバー１の正面視において略矩形状である。
【００３１】
また、凹部３は、その底部３ｃに下向きの頂部を有することが好ましい。このような凹部３によれば、上縁部１ａの右側部分１ａ１と左側部分１ａ２とが互いに離れるように引っ張られたときに、上縁部１ａを引っ張る力がさらに小さい領域に収束し得る。
【００３２】
凹部３は、衣服カバー１内への異物の侵入を抑制し得る範囲において、衣服カバー１の下縁部１ｃに向かって大きくされることが好ましい。このような凹部３によれば、上縁部１ａの右側部分１ａ１と左側部分１ａ２とが互いに離れるように引っ張られたときに、右側部分１ａ１および左側部分１ａ２をより大きく回転移動（後述）させることができる。したがって、上縁部１ａを引っ張る力は、より確実に収束し得る。
【００３３】
開裂補助部５では、各シート２１，２２を裂くために必要な力が低減されている。このため、上縁部１ａの右側部分１ａ１と左側部分１ａ２とが互いに離れるように引っ張られたときに、衣服カバー１は、開裂補助部５から裂け始める。
【００３４】
開裂補助部５は、凹部３の底部３ｃまたは凹部３の底部３ｃの近傍から衣服カバー１の下縁部１ｃに向かって延びていることが好ましい。このような開裂補助部５によれば、上縁部１ａの右側部分１ａ１と左側部分１ａ２とが互いに離れるように引っ張られたときに、各シート２１，２２は、開裂補助部５に沿って上下方向に裂ける（図３参照）。すなわち、開裂補助部５によって、各シート２１，２２の開裂方向が上下方向に誘導される。このことにより、各シート２１，２２は、凹部３と側縁部１ｂとの間よりも、凹部３と下縁部１ｃとの間で裂けやすくなる。
【００３５】
開裂補助部５は、例えば、各シート２１，２２の厚さを線状に薄くした部分等である。本実施形態では、開裂補助部５は、ミシン目である。ここで、ミシン目とは、断続的に設けられた小穴またはスリットである。
【００３６】
開裂補助部５の下端部５ｃは、衣服カバー１の上側領域１１に配置されていることが好ましい。このことにより、衣服を収容するために開口部４を広げたときに、開裂補助部５を意図せず引き裂いてしまう可能性が低減される。
【００３７】
《衣服カバーの取り外し過程》
次に、図２および図３を参照しながら、本考案に係る衣服カバーが衣服から取り外される過程について説明する。図２は、図１の衣服カバーの正面図であって、ハンガーに掛けた衣服を収容した状態を示す図である。図３は、図１の衣服カバーの正面図であって、衣服カバーが引き裂かれているときの状態を示す図である。
【００３８】
衣服カバー１を取り外すには、図２に示すように、まず衣服７をハンガー６と共に吊り下げた状態にする。次に、上縁部１ａの右側部分１ａ１および左側部分１ａ２をそれぞれ把持し、互いを引き離すように左右に引っ張る。このとき、右側部分１ａ１および左側部分１ａ２をハンガー６の形状に沿って左右下方に引っ張ることにより、各シート２１，２２をさらに引き裂きやすくなる。
【００３９】
各シート２１，２２が下方に凹んだ凹部３を有することにより、上縁部１ａの右側部分１ａ１と左側部分１ａ２とは、引っ張られると、凹部３の底部３ｃを中心として回転するように移動する。この移動に伴い、上縁部１ａを引っ張る力は、凹部３の底部３ｃに収束し得る。このことにより、各シート２１，２２を裂くために必要な力をより少ない労力で印加することができる。さらに、開裂補助部５では、各シート２１，２２を裂くために必要な力が低減されている。したがって、より少ない労力で各シート２１，２２を裂き始めることができる。
【００４０】
各シート２１，２２は、凹部３と側縁部１ｂとの間、または凹部３と下縁部１ｃとの間で引き裂かれ得る。ここで、各シート２１，２２が凹部３と側縁部１ｂとの間で裂けた場合には、両側の側縁部１ｂを有する衣服カバー１の断片が生じる。このような断片を衣服から取り外すには、断片をさらに切断したり、断片を衣服７の下方まで移動させたりする必要があり、衣服カバー１の取り外しにおける作業性が悪化する。
【００４１】
一方で、各シート２１，２２が凹部３と下縁部１ｃとの間で裂けた場合には、衣服カバー１は、それぞれ一方の側縁部１ｂを有する２つの断片に分割される。このことにより、衣服カバー１は、上縁部１ａの右側部分１ａ１および左側部分１ａ２を互いに離すように引っ張る動作のみによって取り外される。したがって、衣服カバー１を衣服７から作業性よく迅速に取り外すことができる。
【００４２】
本実施形態によれば、各シートに衣服カバーの上縁部から下方に凹んだ凹部が設けられているので、衣服カバーの上縁部における右側部分と左側部分とが互いに離れるように引っ張られたときに、上縁部を引っ張る力が凹部の底部に収束し得る。このことにより、各シートを裂くために必要な力をより少ない労力で印加することができる。さらに、凹部の底部または凹部の底部の近傍に設けられた開裂補助部では、各シートを裂くために必要な力がより低減されている。このことにより、より少ない労力で各シートを引き裂くことができる。したがって、衣服カバーの取り外しにおける作業性が向上する。また、衣服カバーの取り外しに要する時間が短縮される。
【００４３】
また、本実施形態によれば、開裂補助部が凹部の底部または凹部の底部の近傍から衣服カバーの下縁部に向かって延びている。このため、衣服カバーの上縁部における右側部分と左側部分とが互いに離れるように引っ張られたときに、各シートは、開裂補助部に沿って上下方向に裂ける。すなわち、開裂補助部によって、各シートの開裂方向が上下方向に誘導される。このことにより、各シートは、凹部と側縁部との間よりも、凹部と下縁部との間で裂けやすくなる。したがって、衣服カバーの取り外しにおける作業性がより確実に向上する。また、衣服カバーの取り外しに要する時間が短縮される。
【００４４】
また、本実施形態によれば、開裂補助部がミシン目であるので、衣服カバー内への異物の侵入を抑制しつつ、凹部の底部または凹部の底部の近傍から衣服カバーの下縁部に向かって延ばすことのできる開裂補助部が実現される。
【００４５】
また、本実施形態によれば、各開裂補助部の下端部が衣服カバーの上側半分の領域に配置されているので、衣服カバーの下縁部に設けられた開口部を開いたときに、意図せず各開裂補助部を引き裂いてしまう可能性が低減される。したがって、衣服収容時の作業性が向上する。
【００４６】
また、本実施形態によれば、各シートが上下方向以外かつ左右方向以外の方向よりも上下方向に沿って裂けやすい樹脂シートで構成されている。このため、各シートを上下方向に裂くために必要な力がさらに低減されるので、さらに少ない労力で各シートを上下方向に沿って引き裂くことができる。また、各シートが上下方向に沿って裂け始めた後、開裂方向が上下以外の方向に逸れにくい。このため、各シートは、凹部と側縁部との間よりも、凹部と下縁部との間で裂けやすい。したがって、衣服カバーの取り外しにおける作業性がより確実に向上する。また、衣服カバーの取り外しに要する時間が短縮される。
【００４７】
なお、本考案は前記実施形態に限定されるものではなく、その他種々の態様で実施できる。例えば、各シート２１，２２は、上下方向以外かつ左右方向以外の方向よりも上下方向に沿って裂けやすい樹脂シートで構成されるものとしたが、本考案はこれに限定されない。各シート２１，２２の材料は、開裂補助部５から道具を使用せずに裂き始めることができる材料であれば、任意のものであってよい。
【００４８】
また、前記では、開裂補助部５が凹部３の底部３ｃまたは凹部３の底部３ｃの近傍から衣服カバー１の下縁部１ｃに向かって延びているものとしたが、本考案はこれに限定されない。開裂補助部５は、各シート２１，２２を裂くために必要な力を低減する作用を有していればよい。したがって、開裂補助部５は、例えば、凹部３の底部３ｃに設けられた下向きの頂部であってもよい。
【００４９】
また、前記では、開裂補助部５の下端部５ｃが衣服カバー１の上側領域１１に配置されているものとしたが、本考案はこれに限定されない。例えば、開裂補助部５の下端部５ｃは、衣服カバー１の下側領域１２または下縁部１ｃに配置されてもよい。
【００５０】
また、本明細書において、「シート」という用語は、その部材の厚さを特定の範囲に限定することを意図するものではない。
【００５１】
なお、前記様々な実施形態のうち任意の実施形態を適宜組み合わせることにより、それぞれの有する効果を奏するようにすることができる。
【００５２】
本考案は、添付図面を参照しながら好ましい実施形態に関連して充分に記載されているが、この技術を熟練した人々にとって、種々の変形および修正は明白である。そのような変形および修正は、添付した請求の範囲による本考案の範囲から外れない限り、その中に含まれると理解されるべきである。
【産業上の利用可能性】
【００５３】
本考案に係る衣服カバーは、衣服から作業性よく迅速に取り外すことができるので、衣服の輸送および保管等に有用である。
【符号の説明】
【００５４】
１    衣服カバー
１ａ  上縁部
１ａ１  右側部分
１ａ２  左側部分
１ｂ  側縁部
１ｃ  下縁部
１１    上側領域
１２    下側領域
２１    前面シート
２２    後面シート
３    凹部
３ｃ  底部
４    開口部
５    開裂補助部
５ｃ  下端部
６    ハンガー
６１    フック部
７    衣服
【図１】
0003230484.tif 000003
【図２】
0003230484.tif 000004
【図３】
0003230484.tif 000005